(57)【要約】      （修正有）【課題】電子機器間を結ぶ回線における信号の減衰を防止する。【解決手段】電子機器内の回路基端にＨＤＭＩパネル１を配置し、該パネル１後側に信号変換器２を設け、信号変換器２のベース台２１内には回路板２２が設けて、回路板２２上の一側にはＨＤＭＩジャック２３が設け、他側には複数のＲＪジャック２５１を有する変換モジュール２５が設ける。映像音楽信号は、パネル前面に開口１１に配置された信号変換器２のＨＤＭＩジャック２３に接続されるＨＤＭＩプラグを通じて入力される。信号変換器２にはＲＪジャック２５１によってＲＪプラグが挿入され、該ＲＪプラグからネットワークケーブルによって他の電子機器対して同様に設置された各パネル１および信号変換器２を解して信号伝送を行う。ＲＪプラグ付ネットワークケーブルの有効伝送距離はＨＤＭＩケーブル４１より長いため、各パネル１間での映像音楽信号の減衰が生じない。【選択図】図２
0003139697.tif 000002
【実用新案登録請求の範囲】
【請求項１】
ＲＪプラグ付きネットワークケーブルによって映像音楽データを伝送するＨＤＭＩパネルであって、
パネルおよび少なくとも一つの信号変換器から構成され、
前記パネルには少なくとも一つのＨＤＭＩプラグが挿入される開口が設けられ、
前記信号変換器には前記パネル内側に定位されるベース台が設けられ、該ベース台内には回路板が設けられて、前記回路板上には前記パネルの開口に相対してＨＤＭＩジャックが設けられると共に回路板の他側にはベース台外部に露出したＲＪプラグが挿入される変換モジュールが設けられたことを特徴とするＨＤＭＩパネルの構造。
【請求項２】
前記パネルの開口周縁表面には、収容凹部が設けられ、該収容凹部内には支持台が設けられ、前記支持台は逆Ｌ形の縦向きフレームと横向きフレームとからなり、縦向きフレームを該収容凹部に固定すると共に該縦向きフレームに対して横方向に位置移動する横向きフレームを設けたことを特徴とする請求項１記載のＨＤＭＩパネルの構造。
【請求項３】
前記縦向きフレームの逆Ｌ形水平面には、縦向位置スライド孔を有する垂直側板が設けられ、水平板下側には横向きフレームの横向き板が配置されて横向き板には横方向への位置移動を行うための横向位置スライド孔が設けられたことを特徴とする請求項２記載のＨＤＭＩパネルの構造。
【請求項４】
前記横向き板の縦向きフレームから離れた反対側には、垂直に湾曲した側部フレーム板が設けられ、該側部フレーム板にはＨＤＭＩケーブルを支持する凹部台が設けらたことを特徴とする請求項３記載のＨＤＭＩパネルの構造。
【請求項５】
前記パネルの開口上方には、一以上の穿孔が設けられ、前記回路板には指示灯モジュールが設けられて、前記指示灯モジュールの発光部材には前記穿孔に達する導光部材が設けられることを特徴とする請求項１記載のＨＤＭＩパネルの構造。
【請求項６】
前記回路板には、伝送信号の補償および増幅を行う第１のチップおよび第２のチップが設けられ、前記第１のチップおよび第２のチップは前記ＨＤＭＩジャックおよび前記変換モジュールと電気的に接続されることを特徴とする請求項１記載のＨＤＭＩパネルの構造。
【請求項７】
前記パネルには、固定部材を挿入して天井板、壁または床板上に固定するための固定孔が設けられることを特徴とする請求項１記載のＨＤＭＩパネルの構造。
【請求項８】
前記ベース台の前記ＨＤＭＩジャックの近くの一側には、前記パネル後側に固定される定位部が設けられることを特徴とする請求項１記載のＨＤＭＩパネルの構造。
【請求項９】
前記パネル上には、貫通孔が設けられ、前記定位部には後方に垂直に湾曲した固定板が設けられ、前記固定板には前記貫通孔に対応するように電源プラグが固定されることを特徴とする請求項８記載のＨＤＭＩパネルの構造。
【請求項１０】
前記信号変換器のベース台には、上蓋が一体に成形されることを特徴とする請求項１記載のＨＤＭＩパネルの構造。
【請求項１１】
前記信号変換器のベース台上には、上蓋が設けられることを特徴とする請求項１記載のＨＤＭＩパネルの構造。
【請求項１２】
前記変換モジュールには、一つ以上のＲＪジャックが設けられることを特徴とする請求項１記載のＨＤＭＩパネルの構造。
【請求項１３】
前記信号変換器とパネルとの間には、定位板が設けられることを特徴とする請求項１記載のＨＤＭＩパネルの構造。
【考案の詳細な説明】
【技術分野】
【０００１】
本考案は、ＨＤＭＩパネルの構造に関し、特にパネル後部の信号変換器の回路板にＨＤＭＩジャックおよびＲＪジャックが設けられ、二つの電子製品間をＲＪプラグ付きネットワークケーブルによって映像音楽信号を伝送し、信号伝送中の信号の減衰を防止し、映像音楽信号を再生するときの品質および効果を高めるＨＤＭＩパネルの構造に関する。
【背景技術】
【０００２】
初期のブラウン管を使用した白黒テレビおよびカラーテレビの画質、コントラストおよび鮮明度は劣っていたが、科学技術の進歩に伴って多くの電子製品の品質および技術は向上し、現在は液晶テレビおよびプラズマテレビへと発展し、テレビは高画質、良好なコントラストおよび高い鮮明度を表示することができるようになり、テレビのチャンネルも増加した。また、早期から録画装置を用いて番組を録画し、再生装置により再生して観賞することが行われていたが、録画テープの容積は大きく、湿気によってカビが発生したりするので、現在は時代の流れから淘汰されている。
【０００３】
近年の研究開発によってＶＣＤ、ＤＶＤなどのディスクが誕生した。ＶＣＤ、ＤＶＤは再生装置を利用して映像を再生するが、ＶＣＤにしてもＤＶＤにしても伝送ケーブルによって映像信号をディスプレイ装置に伝送することによって映像を表示することができ、初期の映像信号の伝送ケーブルはＤＶＩ（Ｄｉｇｉｔａｌ  Ｖｉｄｅｏ  Ｉｎｔｅｒｌｅａｖｅｄ）が使用され、Ｉｎｔｅｌ  ｉ７５０  ＶＬＳＩ（登録商標）によって圧縮／解凍を行う演算法が実行された。ＤＶＩの伝送ケーブルは映像のみを伝送でき、音声は伝送できないので、アンプを組合せる必要があり、ケーブルの設置が面倒であり、不便であった。
【０００４】
上述の従来技術による信号伝送における欠点を解決するために、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）の信号伝送方式が研究開発された。ＨＤＭＩはＩｎｔｅｌ社が２００２年に開発したコピー防止メカニズムであるＨＤＣＰ（Ｈｉｇｈ  Ｂａｎｄｗｉｄｔｈ  Ｄｉｇｉｔａｌ  Ｃｏｎｔｅｎｔ  Ｐｒｏｔｅｃｔｉｏｎ）が使用される。ＨＤＭＩは、単一の全デジタルインターフェースに高解析映像信号および多チャンネル音声信号を整合し、ＳＸＧＡ、ＵＸＧＡ、ＳＤＴＶ、ＨＤＴＶなどのデジタル映像信号規格をサポートするだけでなく、ＣＤ、ＤＶＤ−Ａｕｄｉｏ、Ｄｏｌｂｙ  Ｄｉｇｉｔａｌ／ＤＴＳなどのデジタル音声信号規格を伝送することもでき、同時に８チャンネルの圧縮または非圧縮デジタル音声信号を伝送することができる。ＨＤＭＩは各原色が最高で４８‐ｂｉｔの色深度を提供でき、その伝送速度は５Ｇｂｐｓに達し、圧縮しない高品質のデジタル信号を伝送することができる。
【０００５】
科学技術の発展に伴い、多くの電子製品が室内空間で使用されており、各種電子製品に使用される接続ケーブルは天井板上、壁上または床上に敷設され、見た目に悪いだけでなく、安全性に問題があるので、外部に露出していた信号ケーブルまたは接続ケーブルは天井裏、壁内部または床下に埋設され、天井板上、壁上または床上にＨＤＭＩパネルが設置されて電子製品に使用され、室内線路は整理されるようになった。
【０００６】
しかし、パネルを天井板上、壁上または床上に設置するとき、伝送ケーブルを天井裏、壁内部または床下に設置して各パネル間を接続する必要があるので、伝送ケーブルの長さは増加する。ＨＤＭＩパネルを設置するとき、ＨＤＭＩの信号伝送距離は１０メートルを越えると減衰し、ＨＤＭＩ信号を二つのパネル間で伝送させて映像および音声を再生すると品質が劣化したり、その他の問題が発生したりする。またＨＤＭＩケーブルは硬いので壁内部または床下でＨＤＭＩケーブルを引っ張ったとき、伝送ケーブルが断線する問題が発生し、パネルを設置するとき、余ったＨＤＭＩケーブルを巻いて収納するのが難しいという欠点も存在する。
【０００７】
本考案の考案者は、上述の問題に鑑み、関連資料を収集し、試作および修正を繰り返し、ついに信号伝送の品質を高め、信号の減衰を防止し、線材の配線に便利なＨＤＭＩパネルの構造を案出した。
【特許文献１】特開２００７−１０３３０１号公報
【特許文献２】特開２００６−２９３８５７号公報
【考案の開示】
【考案が解決しようとする課題】
【０００８】
本考案の第１の目的は、パネルの内側に信号変換器が設けられ、信号変換器はベース台内に回路板が設けられ、回路板の一側にはパネル開口部に挿入できるＨＤＭＩジャックが設けられ、他側にはＲＪプラグが挿入される変換モジュールが設けられ、二つの電子製品間で信号の伝送が行われるとき、その二つの電子製品はＨＤＭＩプラグおよびＨＤＭＩケーブルによって各信号変換器と電気的に接続され、ＨＤＭＩ信号が信号変換器に伝送され、ＲＪプラグおよびネットワークケーブルによって各信号変換器間で信号伝送が行われ、ＲＪプラグ付きネットワークケーブルの有効伝送距離はＨＤＭＩケーブルよりも長いので、映像音楽信号が各信号変換器間を伝送されるときに減衰するのを防止でき、電子製品は映像音楽信号を受信して良好な品質の映像音楽を再生することができるＨＤＭＩパネルの構造を提供することにある。
本考案の第２の目的は、パネルが天井板上、壁上または床板上に螺合固定され、パネル内側の信号変換器がコンセント溝内に設置され、各信号変換器間はＲＪプラグ付きネットワークケーブルによって接続および信号伝送が行われ、ネットワークケーブルは柔軟性が高く、直径が小さく、湾曲させやすい特徴を有するので、直径の小さなパイプまたは孔を容易に通過させて延伸作業を行うことができ、信号ケーブルを引っ張ることによって断線するのを防止することもでき、余ったケーブルを丸めてコンセント溝内に収納することができ、パネル、信号変換器および信号ケーブルを設置するときの利便性を高めることができ、また、ＲＪプラグ、ネットワークケーブルはＨＤＭＩプラグ、ＨＤＭＩケーブルと比較して安いので製品のコストを低減させることができるＨＤＭＩパネルの構造を提供することにある。
【課題を解決するための手段】
【０００９】
上述の課題を解決するために、請求項１の考案は、ＲＪプラグ付きネットワークケーブルによって映像音楽データを伝送するＨＤＭＩパネルの構造であり、パネルおよび少なくとも一つの信号変換器から構成され、パネルには少なくとも一つのＨＤＭＩプラグが挿入される開口が設けられ、信号変換器にはパネル内側に定位されるベース台が設けられ、ベース台内には回路板が設けられ、回路板上にはパネルの開口に対応するようにＨＤＭＩジャックが少なくとも一つ設けられ、回路板の他側にはベース台外部に露出した、ＲＪプラグが挿入される変換モジュールが設けられることを特徴とするＨＤＭＩパネルの構造である。
【００１０】
請求項２の考案は、パネルの開口周縁表面には、収容凹部が設けられ、収容凹部内には支持台が設けられ、支持台は逆Ｌ形の縦向きフレームによって開口下方に設置され、縦向きフレームの他側には横方向に位置移動する横向きフレームが設けられることを特徴とする請求項１記載のＨＤＭＩパネルの構造である。
【００１１】
請求項３の考案は、縦向きフレームの水平板には、縦向位置スライド孔を有する垂直側板が設けられ、水平板下側には横向きフレームの横向き板が配置されて横向き板には横方向への位置移動を行うための横向位置スライド孔が設けられたことを特徴とする請求項２記載のＨＤＭＩパネルの構造である。
【００１２】
請求項４の考案は、横向き板の縦向きフレームから離れた一側には、垂直に湾曲した側部フレーム板が設けられ、側部フレーム板上にはＨＤＭＩケーブルを支持する凹部台が設けられることを特徴とする請求項３記載のＨＤＭＩパネルの構造である。
【００１３】
請求項５の考案は、パネルの開口上方には、少なくとも一つ以上の穿孔が設けられ、回路板には指示灯モジュールが設けられ、指示灯モジュールの発光部材上方のベース台に穿孔に対応するように導光部材が設けられることを特徴とする請求項１記載のＨＤＭＩパネルの構造である。
【００１４】
請求項６の考案は、回路板には、信号の補償および増幅を行う第１のチップおよび第２のチップが設けられ、第１のチップおよび第２のチップはＨＤＭＩジャックおよび変換モジュールと電気的に接続されることを特徴とする請求項１記載のＨＤＭＩパネルの構造である。
【００１５】
請求項７の考案は、パネルには、固定部材を挿入して天井板、壁または床板上に固定するのに使用される固定孔が設けられることを特徴とする請求項１記載のＨＤＭＩパネルの構造である。
【００１６】
請求項８の考案は、ベース台のＨＤＭＩジャック近くの一側には、パネル後側に固定される定位部が設けられることを特徴とする請求項１記載のＨＤＭＩパネルの構造である。
【００１７】
請求項９の考案は、パネル上には、貫通孔が設けられ、定位部には後方に垂直に湾曲した固定板が設けられ、固定板には貫通孔に対応するように電源プラグが固定されることを特徴とする請求項８記載のＨＤＭＩパネルの構造である。
【００１８】
請求項１０の考案は、信号変換器のベース台には、上蓋が一体に成形されることを特徴とする請求項１記載のＨＤＭＩパネルの構造である。
【００１９】
請求項１１の考案は、信号変換器のベース台上には、上蓋が設けられることを特徴とする請求項１記載のＨＤＭＩパネルの構造である。
【００２０】
請求項１２の考案は、変換モジュールには、一つまたは一つ以上のＲＪジャックが設けられることを特徴とする請求項１記載のＨＤＭＩパネルの構造である。
【００２１】
請求項１３の考案は、信号変換器とパネルとの間には、定位板が設けられることを特徴とする請求項１記載のＨＤＭＩパネルの構造である。
【考案の効果】
【００２２】
本考案のＨＤＭＩパネルの構造は、パネル後側に信号変換器が設けられ、信号変換器のベース台内には回路板が設けられ、回路板上の一側にはＨＤＭＩジャックが設けられ、他側には複数のＲＪジャックを有する変換モジュールが設けられる。二つの電子製品間で信号伝送を行うとき、映像音楽信号はＨＤＭＩプラグを通じて信号変換器のＨＤＭＩジャックに入力され、信号変換器にはＲＪジャックによってＲＪプラグが挿入され、ネットワークケーブルによって各パネルおよび信号変換器との間の信号伝送が行われる。ＲＪプラグ付きネットワークケーブルの有効伝送距離はＨＤＭＩケーブルよりも長いので、各パネル間の距離が長くなる場合でも映像音楽信号が伝送過程において減衰する問題は発生せず、映像音楽信号を再生するときの品質、効果が保護される。
【考案を実施するための最良の形態】
【００２３】
本考案の目的、特徴および効果を示す実施例を図に沿って詳細に説明する。
【００２４】
図１は、本考案の実施例を示す斜視図である。図２は本考案の実施例を示す分解斜視図である。図３は本考案の実施例を示す側面断面図である。図から分かるように、本考案のＨＤＭＩパネルの構造は、パネル１および信号変換器２から構成される。
【００２５】
パネル１にはＨＤＭＩプラグ４が挿入される開口１１が設けられ、パネル１一側の開口１１周縁表面には凹陥状の収容凹部１２が設けられ、収容凹部１２内には一つまたは一つ以上の穿孔１２１、ねじ穴１２２および貫通孔１２３が設けられ、収容凹部１２外部のパネル１上には固定部材１３１が挿入される複数の固定孔１３が設けられる。
【００２６】
信号変換器２は、ベース台２１一側から垂直下方に屈曲した定位部２１１を有し、定位部２１１には複数のねじ穴２１１１が設けられ、定位部２１１の底部は後部に湾曲した固定板２１２を有する。ベース台２１内側には回路板２２が設けられ、回路板２２の一側にはベース台２１外側に突出したＨＤＭＩジャック２３が設けられる。回路板２２上には指示灯モジュール２４が設けられ、指示灯モジュール２４は一つ以上の発光部材２４１および導光部材２４２を有し、発光部材２４１は回路板２２上に設置され、発光部材２４１に相対する上方のベース台２１には湾曲して外側に突出した導光部材２４２が設けられる。回路板２２のＨＤＭＩジャック２３から離れた他側には複数のＲＪジャック２５１が設けられた変換モジュール２５が設けられる。ベース台２１の固定板２１２上には電源プラグ２６が設けられる。ベース台２１の定位部２１１一側には定位板２７が設けられ、定位板２７上には複数の各ねじ穴２１１１に対応するように螺合孔２７１が設けられ、定位板２７上には中空の矩形の枠孔２７２が設けられ、定位板２７の枠孔２７２外側には複数の円孔２７３が設けられる。定位板２７は、螺合部材２７４が螺合孔２７１に挿入された後、定位部２１１のねじ穴２１１１に螺入されてベース台２１の側辺に固定され、ＨＤＭＩジャック２３および指示灯モジュール２４の複数の導光部材２４２が定位板２７の枠孔２７２より突出する。
【００２７】
上述の各部材を組立てる時、パネル１の複数の固定孔１３と信号変換器２側の定位板２７の複数の円孔２７３とを整合させて各固定孔１３から各固定部材１３１を各円孔２７３に螺入し、信号変換器２をパネル１後側に固定する。信号変換器２のＨＤＭＩジャック２３がパネル１の開口１１に位置し、信号変換器２上の指示灯モジュール２４に設けられた一つ以上の導光部材２４２をパネル１の対応する穿孔１２１内に挿入し、電源プラグ２６をパネル１の貫通孔１２３後側に位置するように配置して組み立てが完成する。
【００２８】
また、信号変換器２のベース台２１上方には上蓋２１３を設けて上蓋２１３には変換モジュール２５をはめ込む開口２１３１を設ける。ベース台２１および上蓋２１３は、別体として、又は一体として製造し、回路板２２、ＨＤＭＩジャック２３、指示灯モジュール２４および変換モジュール２５のみを収容し、複数の予め設けられたプラグをＨＤＭＩジャック２３および変換モジュール２５の複数のＲＪジャック２５１に電気的に接続できればよい。以上の説明は、本考案の好適な実施例を示すものであり、本考案の実用新案登録請求の範囲を制限するものではなく、本考案の主旨に基づく同等効果の修飾および変更は全て本考案に含まれる。
【００２９】
図４は、本考案の実施例を示す回路図である。図５は、本考案の実施例を示すブロック図である。図から分かるように、回路板２２には信号の補償および増幅を行う第１のチップ２２１、第２のチップ２２２が設けられ、第１のチップ２２１には電源を供給する外部電源供給回路２２３およびランプによって信号伝送状態を表示する指示灯モジュール２４が電気的に接続される。第１のチップ２２１および第２のチップ２２２は、ＨＤＭＩジャック２３と電気的に接続される。第１のチップ２２１は、変換モジュール２５の複数のＲＪジャック２５１とそれぞれ電気的に接続され、第２のチップ２２２は、変換モジュール２５の一つのＲＪジャック２５１とのみ電気的に接続される。
【００３０】
通常、信号伝送時には信号減衰の問題が伴い、伝送信号は遠くになるほど減衰の状況はひどくなるので、回路板２２上に第１のチップ２２１および第２のチップ２２２を設置することによって信号の補償および増幅処理を行ない、伝送信号の品質を高め、伝送信号の減衰によって表示画像の品質が劣化するのを防止し、安定的に信号を伝送することができる。
【００３１】
図２は、本考案の実施例を示す分解斜視図である。図４は、本考案の実施例を示す回路図である。図５は、本考案の実施例を示すブロック図である。図から分かるように、回路板２２の外部電源供給回路２２３はベース台２１下方の電源プラグ２６と電気的に接続され、電源プラグ２６を通じて信号変換器２の運転に必要な電源が供給される。
【００３２】
また、信号変換器２上に設けられた指示灯モジュール２４は、一つ以上の発光部材２４１および導光部材２４２を有し、指示灯モジュール２４は発光部材２４１によって信号の伝送状態を表示し、発光部材２４１が放出した光は導光部材２４２を経てパネル１の各穿孔１２１から外部に導かれ、使用者は信号伝送の状態を即座に知ることができ、故障や破損があった場合も指示灯モジュール２４によって知ることができ、それによってメンテナンスや部品交換を迅速に行うことができる。
【００３３】
図６は、本考案の他の実施例を示す回路図である。図から分かるように、回路板２２にはＨＤＭＩジャック２３、指示灯モジュール２４および変換モジュール２５のみを設けて、ＨＤＭＩジャック２３は変換モジュール２５の複数のＲＪジャック２５１とそれぞれ電気的に接続され、指示灯モジュール２４はＨＤＭＩジャック２３および変換モジュール２５の複数のＲＪジャック２５１と電気的に接続される。
【００３４】
図４は、本考案の実施例を示す回路図である。図６は本考案の他の実施例を示す回路図である。図から分かるように、ＨＤＭＩジャック２３および変換モジュール２５の複数のＲＪジャック２５１の配線を行うとき、ＨＤＭＩジャック２３の四対の回路は複数のＲＪジャック２５１とそれぞれ電気的に接続され、各対の回路間の距離を延長し、各対の回路間の距離が不足することによって相互に信号干渉が発生して混信するのを防止することができる。
【００３５】
図１は、本考案の実施例を示す斜視図である。図２は本考案の実施例を示す分解斜視図である。図３は本考案の実施例を示す側面断面図である。図から分かるように、パネル１前側には支持台３を設けることができる。支持台３は位置を調整できる縦向きフレーム３１および横向きフレーム３２を有する。縦向きフレーム３１は水平板３１１底部にねじ穴３１１１が設けられ、水平板３１１両側から垂直方向に側翼板３１１２がそれぞれ設けられ、水平板３１１一側には垂直側板３１２が設けられ、垂直側板３１２上にはねじ３１２２が貫設される縦向位置調整孔３１２１が設けられる。縦向きフレーム３１の水平板３１１下方には横向きフレーム３２が設けられ、横向きフレーム３２は横向き板３２１によって水平板３１１下方に貼合され、横向き板３２１は二つの側翼板３１１２の内側に位置し、横向き板３２１上にはねじ３２２２が挿入される横向位置調整孔３２１１が設けられ、ねじ３２２２は水平板３１１底部のねじ穴３１１１に螺合される。横向き板３２１の水平板３１１から離れた一側には垂直方向に直立した側部フレーム板３２２が設けられ、側部フレーム板３２２上には弧状の凹部台３２２１が設けられる。
【００３６】
支持台３およびパネル１を組立てるとき、パネル１の収容凹部１２に支持台３の縦向きフレーム３１を貼合し、縦向きフレーム３１の垂直側板３１２上の縦向位置調整孔３１２１と収容凹部１２部分のねじ穴１２２とを対応させ、ねじ３１２２を縦向位置調整孔３１２１に貫通してねじ穴１２２内に螺合し、支持台３をパネル１一側の収容凹部１２内に螺合接続して組み立てが完成させる。
【００３７】
図２は、本考案の１実施例を示す分解斜視図であり、図７は本考案の他の実施例を示す斜視図である。図から分かるように、ＨＤＭＩプラグ４がパネル１の開口１１内に挿入され、ＨＤＭＩプラグ４と信号変換器２の開口１１に配置されたＨＤＭＩジャック２３とが電気的に接続される。ＨＤＭＩプラグ４は、支持台３の縦向きフレーム３１の水平板３１１上に設置され、ＨＤＭＩプラグ４と接続されたＨＤＭＩケーブル４１は横向きフレーム３２の側部フレーム板３２２の凹部台３２２１部分に設置され、ＨＤＭＩプラグ４は安定的にパネル１の開口１１に挿入接続され、ＨＤＭＩプラグ４と信号変換器２のＨＤＭＩジャック２３とは安定的に確実に電気的に接続される。また、信号変換器２の他側の変換モジュール２５の複数のＲＪジャック２５１にＲＪプラグ５が挿入接続される。
【００３８】
また、ＨＤＭＩプラグ４の形状またはサイズが変更されたとき、支持台３の縦向きフレーム３１のねじ３１２２を緩め、縦向きフレーム３１をパネル１の収容凹部１２内で縦方向へ位置調整を行うことによってＨＤＭＩプラグ４を開口１１およびＨＤＭＩジャック２３に対応させることができるようになり、ＨＤＭＩプラグ４をＨＤＭＩジャック２３内にスムーズに挿入させることができる。ＨＤＭＩプラグ４の他側のＨＤＭＩケーブル４１に関しては、横向位置調整孔３２１１が設けられているので、支持台３の横向きフレーム３２のねじ３２２２を緩めて横向きフレーム３２の横向き板３２１を縦向きフレーム３１の水平板３１１底部において横方向に位置移動させ、横向きフレーム３２の凹部台３２２１を移動させることによってＨＤＭＩケーブル４１下方を支持することができる。また、横向き板３２１は水平板３１１両側の側翼板３１１２の位置制限によって回転偏移することがない。以上のように、支持台３を調整することによって様々な形状のＨＤＭＩプラグ４を安定固定することができる。
【００３９】
図７は、本考案の他の実施例を示す斜視図である。図８は本考案の使用時の状態を示す模式図である。図から分かるように、パネル１は、固定孔１３を通して固定部材１３１を挿入して天井板上、壁上または床板上に螺合固定することができ、信号変換器２をこれら壁などに設けられたコンセント溝６内に設置することができる。パネル１上に設置された信号変換器２は、変換モジュール２５のＲＪジャック２５１によってＲＪプラグ５と電気的に接続される。ＲＪプラグ５と接続されたネットワークケーブル５１はコンセント溝６内のケーブル管６１から他のコンセント溝６まで延伸され、ネットワークケーブル５１他側のＲＪプラグ５と他のパネル１の信号変換器２のＲＪジャック２５１とが電気的に接続される。ＲＪプラグ５と接続されたネットワークケーブル５１は柔軟性が高く、直径が小さく、湾曲させやすい特性を有するので、ネットワークケーブル５１を天井裏、壁内または床下で延伸させたり、引っ張ったりする作業を行うとき、直径の小さいケーブル管６１または孔を通過させやすいだけでなく、ネットワークケーブル５１が引っ張られて切断される問題を防止でき、余ったネットワークケーブル５１をコンセント溝６内に巻いて収納できる。
【００４０】
二つのパネル１間は、ＨＤＭＩジャック２３を通じて接続され、ＨＤＭＩプラグ４はＨＤＭＩケーブル４１によって電子製品７（例えば液晶テレビ、プラズマテレビ、マルチメディア再生装置、ＶＣＤ再生装置、ＤＶＤ再生装置、プロジェクタまたはビデオデッキなど）と電気的に接続される。ＤＶＤ再生装置の映像音楽信号が順番にＨＤＭＩプラグ４、信号変換器２、ＲＪプラグ５、他の信号変換器２および他のＨＤＭＩプラグ４を通って液晶画面において再生されるとき、ＲＪプラグ５およびネットワークケーブル５１の有効伝送距離は１００メートルに及ぶ。ＨＤＭＩプラグ４、ＨＤＭＩケーブル４１による信号伝送は１０メートルを超えると減衰し始めるが、本考案はＲＪプラグ付きネットワークケーブル５１によって二つの信号変換器２間の信号伝送を行い、二つの間隔距離の長いパネル１間で信号伝送を行う場合でも信号は減衰することがないので、パネル１および信号変換器２を組立てるとき、信号減衰の問題を考慮する必要がなく、パネル１および信号変換器２の設置時の利便性を高め、電子製品７に映像音楽信号を再生させるときに高品質を達成できる。また、ＲＪプラグ５、ネットワークケーブル５１の価格はＨＤＭＩプラグ４、ＨＤＭＩケーブル４１よりも安いので製品コストを確実に低減できる。
【００４１】
また、パネル１上には複数の開口１１を設けることによりパネル１後側には複数の信号変換器２または複数のＨＤＭＩジャック２３が設けられた信号変換器２を設けることができ、複数のＨＤＭＩジャック２３をパネル１の複数の開口１１に対応させ、ＨＤＭＩプラグ４をパネル１の開口１１部分でＨＤＭＩジャック２３と電気的に接続することができる。このような修飾および変更も全て本考案の実用新案請求の範囲に含まれる。
【００４２】
本考案のＨＤＭＩパネルの構造は、パネル１後側に信号変換器２が設けられ、信号変換器２のベース台２１内には回路板２２が設けられ、回路板２２上の一側にはＨＤＭＩジャック２３が設けられ、他側には複数のＲＪジャック２５１を有する変換モジュール２５が設けられる。二つの電子製品７間で信号伝送を行うとき、映像音楽信号はＨＤＭＩプラグ４を通じて信号変換器２のＨＤＭＩジャック２３に入力され、信号変換器２にはＲＪジャック２５１によってＲＪプラグが挿入され、ネットワークケーブル５１によって各パネル１および信号変換器２との間の信号伝送が行われる。ＲＪプラグ付きネットワークケーブル５１の有効伝送距離はＨＤＭＩケーブル４１よりも長いので、各パネル１間の距離が長くなる場合でも映像音楽信号が伝送過程において減衰する問題は発生せず、映像音楽信号を再生するときの品質、効果が保護される。
【００４３】
以上の説明は本考案の好適な実施例を示したものであり、本考案の範囲を制限するものではなく、本考案の明細書および図面内容の簡易な修飾および変更は全て本考案の実用新案登録請求の範囲に含まれる。
【００４４】
以上の説明から分かるように、本考案のＨＤＭＩパネルの構造は確実にその効果および目的を達成することができ、高い実用性を有する優れた考案である。
【図面の簡単な説明】
【００４５】
【図１】本考案の実施例を示す斜視図である。
【図２】本考案の実施例を示す分解斜視図である。
【図３】本考案の実施例を示す側面断面図である。
【図４】本考案の実施例を示す回路図である。
【図５】本考案の実施例を示すブロック図である。
【図６】本考案の他の実施例を示す回路図である。
【図７】本考案の他の実施例を示す斜視図である。
【図８】本考案の使用時の状態を示す模式図である。
【符号の説明】
【００４６】
１      パネル
１１    開口
１２    収容凹部
１２１  穿孔
１２２  ねじ穴
１２３  貫通孔
１３    固定孔
１３１  固定部材
２      信号変換器
２１    ベース台
２１１  定位部
２１１１ねじ穴
２１２  固定板
２１３  上蓋
２１３１開口
２２    回路板
２２１  第１のチップ
２２２  第２のチップ
２２３  外部電源供給回路
２３    ＨＤＭＩジャック
２４    指示灯モジュール
２４１  発光部材
２４２  導光部材
２５    変換モジュール
２５１  ＲＪジャック
２６    電源プラグ
２７    定位板
２７１  螺合孔
２７２  枠孔
２７３  円孔
２７４  螺合部材
３      支持台
３１    縦向きフレーム
３１１  水平板
３１１１ねじ穴
３１１２側翼板
３１２  垂直側板
３１２１縦向位置調整孔
３１２２ねじ
３２    横向きフレーム
３２１  横向き板
３２１１横向位置調整孔
３２２  側部フレーム板
３２２１凹部台
３２２２ねじ
４      ＨＤＭＩプラグ
４１    ＨＤＭＩケーブル
５      ＲＪプラグ
５１    ネットワークケーブル
６      コンセント溝
６１    ケーブル管
７      電子製品
【図１】
0003139697.tif 000003
【図２】
0003139697.tif 000004
【図３】
0003139697.tif 000005
【図４】
0003139697.tif 000006
【図５】
0003139697.tif 000007
【図６】
0003139697.tif 000008
【図７】
0003139697.tif 000009
【図８】
0003139697.tif 000010